(57)【要約】【課題】接続対象の複数のデバイスが異なっても構成が簡単な本質安全防爆装置を得る。【解決手段】本発明は、照光押ボタンスイッチ１内の表示デバイス及びスイッチデバイスと本質安全防爆回路６との間でやりとりする電気的な量の定格が同じであることにより、構成が簡単になる。【選択図】        図１
2005027397.tif 000002
【特許請求の範囲】
【請求項１】
表示デバイス及びスイッチデバイスと本質安全防爆回路との間でやりとりする電気的な量の定格が同じである本質安全防爆装置。
【発明の詳細な説明】
【０００１】
【発明が属する技術分野】
本発明は、照光押ボタンスイッチや照光セレクタスイッチなど、スイッチデバイスと表示デバイスとの防爆に関する。
【０００２】
【従来の技術】
本質安全防爆に関する従来の技術としては例えば特許文献１がある。
【０００３】
【特許文献１】特開昭５１−５７３８９号公報
【０００４】
この文献１では、爆発性ガスの存在する危険場所に設置された複数の同じデバイス（ポテンショメータ）の本質安全防爆回路に関する技術が開示されている。
【０００５】
一方、複数のデバイスが互いに異なる場合は、これらデバイス間がショートすると過電流が流れて爆発などの危険性がある。そこで、このような場合は、図３に示すように、異なるデバイス２１，２２毎に別々の本質安全防爆回路２３，２４を接続する。
【０００６】
【発明が解決しようとする課題】
しかしながら、異なるデバイス毎に別々の本質安全防爆回路を設ける必要があるため、構成が複雑になるという問題点があった。
【０００７】
本発明は上記の問題点を解決するためになされたものであり、接続対象のデバイスが異なっても構成が簡単な本質安全防爆装置を得ることを目的とする。
【０００８】
【課題を解決するための手段】
請求項１に記載の課題解決手段は、表示デバイス及びスイッチデバイスと本質安全防爆回路との間でやりとりする電気的な量の定格が同じであることを特徴とする。
【０００９】
【発明の実施の形態】
互いに異なるデバイスとしては、スイッチデバイスと表示デバイスとがある。スイッチデバイスとは例えば押ボタンスイッチやセレクタスイッチなど接点の開閉を行うデバイスである。表示デバイスとは例えばＬＥＤ（発光ダイオード）である。従来では表示デバイスの定格はスイッチデバイスの定格と比較して格段に大きかったが、近年の技術の進歩（例えばＬＥＤの高輝度化）により、表示デバイスの定格がスイッチデバイスの定格と同程度で実現できるようになり、互いにショートしても爆発の危険性が非常に低くなっている。
【００１０】
そこで、様々なデバイスがある中、特に表示デバイスの定格がスイッチデバイスの定格と同じに実現できることに着目し、以下の実施の形態１，２で示すように、表示デバイス及びスイッチデバイスと本質安全防爆回路との間でやりとりする電気的な量（電流、電圧あるいは電力）の定格を同じに設定する。
【００１１】
（実施の形態１）
図１は本発明の実施の形態１における本質安全防爆装置を示すブロック図である。図１に示すように、照光押ボタンスイッチ１は配線（ケーブル）２，３を介して表示灯点灯装置４，接点信号変換器５に接続されている。
【００１２】
照光押ボタンスイッチ１は爆発性ガスの存在する危険場所に設置され、表示灯点灯装置４及び接点信号変換器５はそうでない非危険場所（安全場所）に設置されている。
【００１３】
照光押ボタンスイッチ１は周知のように、表示デバイスとスイッチデバイスとを含んで構成されている。表示灯点灯装置４は配線２を介して照光押ボタンスイッチ１内の表示デバイスに電気的に接続される。接点信号変換器５は配線３を介して照光押ボタンスイッチ１内のスイッチデバイスに電気的に接続される。配線２と配線３とは１つの本質安全防爆回路６として構成する。
【００１４】
従来のスイッチデバイス及び表示デバイスの定格はそれぞれ例えばＤＣ１６Ｖ，１４ｍＡ及びＤＣ１２Ｖ，６４ｍＡであったが、本実施の形態１の照光押ボタンスイッチ１内のスイッチデバイス及び表示デバイスの定格は例えばＤＣ１２Ｖ，１０ｍＡで同じに定格で実現できる。
【００１５】
以上のように構成することで、従来では１つの照光押ボタンスイッチに対して２つの本質安全防爆回路が必要であったが、実施の形態１では１つで済み、構成が簡単になる。また、表示灯点灯装置４及び接点信号変換器５の定格及びこの定格に従うパラメータ（許容インダクタンス、許容キャパシタンス）を同じに設定できるため、本質安全防爆性能を容易に評価できる。
【００１６】
（実施の形態２）
図２は本発明の実施の形態２における本質安全防爆装置を示すブロック図である。図２に示すように、表示灯点灯装置１４及び接点信号変換器１５は電源その他一般回路から電源や信号を受けて例えば実施の形態１同様、ＤＣ１２Ｖ，１０ｍＡの同じに定格に変換し、配線（ケーブル）１２，１３を介して表示灯ＬＰ１，ＬＰ２，ＬＰ３、照光押ボタンスイッチＬＢ１，ＬＢ２、照光セレクタスイッチＬＳ１、押ボタンスイッチＰＢ１，ＰＢ２、セレクタスイッチＳＳ１、リミットスイッチＬＭ１、フロートスイッチＦＳ１、キースイッチＫＳ１に出力する。配線１２と配線１３とは１つの本質安全防爆回路１６として構成する。
【００１７】
表示灯ＬＰ１，ＬＰ２，ＬＰ３、照光押ボタンスイッチＬＢ１，ＬＢ２、照光セレクタスイッチＬＳ１、押ボタンスイッチＰＢ１，ＰＢ２、セレクタスイッチＳＳ１、リミットスイッチＬＭ１、フロートスイッチＦＳ１、キースイッチＫＳ１は爆発性ガスの存在する危険場所に設置され、表示灯点灯装置１４、接点信号変換器１５及び一般機器（例えば電源や信号生成回路）１７はそうでない非危険場所に設置されている。
【００１８】
照光押ボタンスイッチＬＢ１，ＬＢ２は実施の形態１同様、表示デバイスとスイッチデバイスとを含んで構成されている。照光押ボタンスイッチＬＢ１，ＬＢ２内の表示デバイスは配線１２を介して表示灯点灯装置１４に電気的に接続され、スイッチデバイスは配線１３を介して接点信号変換器１５に電気的に接続される。
【００１９】
照光セレクタスイッチＬＳ１は表示デバイスと例えば２つのスイッチデバイスとを含んで構成されている。照光セレクタスイッチＬＳ１内の表示デバイスは配線１２を介して表示灯点灯装置１４に電気的に接続され、スイッチデバイスは配線１３を介して接点信号変換器１５に電気的に接続される。
【００２０】
表示灯ＬＰ１，ＬＰ２，ＬＰ３は表示デバイスのみを含み、これらの表示デバイスは配線１２を介して表示灯点灯装置１４に電気的に接続されている。
【００２１】
セレクタスイッチＳＳ１、リミットスイッチＬＭ１、フロートスイッチＦＳ１、キースイッチＫＳ１はそれぞれスイッチデバイスのみを含み、これらのスイッチデバイスは配線１３を介して接点信号変換器１５に電気的に接続されている。
【００２２】
なお、表示灯点灯装置１４及び接点信号変換器１５に接続できる合計のデバイス数を本質安全防爆構造で許容される最大値（例えば１６）として構成したため、ＰＬＣ（プログラマブルコントローラ）などに接続しやすく、最も点火しやすい爆発性ガスである水素などを含む場合にも本質安全防爆性能が確保される。
【００２３】
このように表示灯ＬＰ１，ＬＰ２，ＬＰ３、照光押ボタンスイッチＬＢ１，ＬＢ２、照光セレクタスイッチＬＳ１、押ボタンスイッチＰＢ１，ＰＢ２、セレクタスイッチＳＳ１、リミットスイッチＬＭ１、フロートスイッチＦＳ１、キースイッチＫＳ１など多様なデバイスの組み合わせに対しても本質安全防爆回路は１つで済み、構成が簡単になる。また、表示灯点灯装置１４及び接点信号変換器１５の定格及びこの定格に従うパラメータ（許容インダクタンス、許容キャパシタンス）を同じに設定できるため、本質安全防爆性能を容易に評価できる。
【００２４】
【発明の効果】
請求項１に記載の発明によれば、表示デバイス及びスイッチデバイスと本質安全防爆回路との間でやりとりする電気的な量の定格が同じなため、構成が簡単になる。
【図面の簡単な説明】
【図１】本発明の実施の形態１の本質安全防爆装置を示すブロック図である。
【図２】本発明の実施の形態２の本質安全防爆装置を示すブロック図である。
【図３】従来の本質安全防爆装置を示すブロック図である。
１  照光押ボタンスイッチ、２，３，１２，１３  配線、４，１４  表示灯点灯装置、５，１５  接点信号変換器、６，１６  本質安全防爆回路。
【図１】
2005027397.tif 000003
【図２】
2005027397.tif 000004
【図３】
2005027397.tif 000005